Podtech/llm-jp-corpus-v4-ja_patent huggingface dataset:
(57)【要約】【課題】滑りにくく、クッション性があって手にフィットし、かつ体に長時間当たっていてもクッションの効果で負担をかけない釣竿のグリップを提供する。【解決手段】釣竿のグリップに連続した間隔が狭く細い切込みを入れることによってクッション性が増し、手にフィットすると共に、体にグリップが直接当たる部分への衝撃を和らげる。また、切込みが手を滑りにくくさせる。【選択図】図１
2004236649.tif 000002
【特許請求の範囲】
【請求項１】
連続した間隔の狭い切込みを有する樹脂やコルク素材の釣竿のグリップ
【発明の詳細な説明】
【０００１】
【発明の属する技術分野】
本発明は、連続した間隔が狭く細い切込みを有する樹脂やコルク素材の釣竿のグリップであって、より握り易く、かつ滑りにくく、かつクッション性が高い釣竿のグリップ部に関する。
【０００２】
【従来の技術】
従来の釣竿のグリップ部は、ＥＶＡやコルクなどの素材で出来ており、全体的に丸みを帯び、凹凸のない形状である。
【０００３】
【発明が解決しようとする課題】
釣りで、より遠くに疑似餌などを飛ばしたい時、釣竿のグリップ部は大きな役目を果たす。従来の形状のグリップだと凹凸が無いので滑りやすく、雨が降っている時に釣りをする場合には更に滑りやすくなる。
また、釣は水辺でするものなので、手の平で握るグリップ部は必ず水に濡れる。
【０００４】
大物の魚を釣り上げる際には、大物の魚の強い引きに釣竿のグリップを手の平で強く握り、釣り用リールを回しながら引き上げなければならないので、グリップ部が滑ってしまうと意図としたファイトが出来ない。また、手が滑って握り直す瞬間、力が弱まってしまう。
【０００５】
釣り人は、長時間グリップを握っているので、クッション性の少ないグリップを使用すると手が疲れ易い。
【０００６】
魚をジグ（鉛の疑似餌）で狙う場合、わきの間にグリップ部を挟んで釣竿を上げ下げしながら長時間使用するので、わきにクッション性の少ないグリップが当たると、釣り人のわきに負担がかかり、圧迫してしまう虞がある。このことは、釣り方によってもグリップが当たる体の部位は変わるので、わき以外の体の部位にもいえることである。
【０００７】
【課題を解決するための手段】
上記目的を達成するために、本発明のグリップは手の平で握る部分や、体に当たる部分に連続した間隔が狭く細い切込みを入れた。
【０００８】
【発明の実施の形態】
釣竿のグリップに連続した切込みを入れることによって、握る手を切込みが受け止めてくれる。また、間隔が狭く細い切込みは、グリップの素材の特性から伸縮するので、力が加わった時に最初に当たる凸面は圧縮されて、クッション性を発揮する。
【０００９】
【発明の効果】
以上のように、連続した間隔が狭く細い切込みを有するグリップは、握る手を受け止めるので滑りにくくなり、魚がかかって引いている時に手を握りなおすリスクが無いので、より良い釣果を期待出来る。
【００１０】
また、本発明のグリップはクッション性を発揮するので、釣り人が握ることによって釣り人の手に適した形状になり、疲れにくいと共に、より力を込めやすくなるので、より遠くに疑似餌等をキャスティングできる。また、意図としたキャスティングや、魚を引き上げることが可能になる。
【００１１】
【０００６】に示したように、弾力の少ないグリップが体に当たっていると、釣り人に負担をかけ、圧迫や擦れの虞があるので、クッション性を有する本発明のグリップは、釣り人への負担を軽減し体を守って、より楽しく快適な釣が出来る。以上のことより、長時間釣りを楽しめる。
【図面の簡単な説明】
【図１】本発明の釣竿全体を示した側面図である。
【図２】本発明釣竿全体から取外したグリップのみを示した側面図である。
【図３】釣竿全体から取外した従来品の釣竿のグリップの側面図である。
【図４】Ｆ−Ｆ‘線より切断した本発明釣竿全体から取外したグリップの側面図である。
【符号の説明】Ａ  ガイド
Ｂ  釣竿ブランク
Ｃ  リールシート
Ｄ  ゴムキャップ
Ｅ  グリップ
Ｆ−Ｆ‘  切断線
【図１】
2004236649.tif 000003
【図２】
2004236649.tif 000004
【図３】
2004236649.tif 000005
【図４】
2004236649.tif 000006
(57)【要約】      （修正有）【課題】従来技術は、カラマツの大鋸屑を用いて複雑行程処理を行う方法や特定主原料・特定菌を用い更に高価な栄養素を使用する方法であった。これらは、大量生産する為には過大な設備投資を必要とし、また特定材・特定菌を使用する為ハナビラタケの大量生産は、不可能であった。【解決手段】自然界に自生するハナビラタケから組織分離を行い寒天培地で培養し、これを針・落葉樹の混合大鋸屑で種菌を作製する。更に針・落葉樹の混合大鋸屑培地に栄養素を加え、これに移植しハナビラタケの育成を行うことである。【選択図】  なし【特許請求の範囲】
【請求項１】
古来より自生するハナビラタケの組織を分離し寒天を主成分とする培地で菌を培養する方法。
【請求項２】
上記方法によって培養した菌を、針葉樹・落葉樹の混合大鋸屑、又は、針葉樹単一大鋸屑を主成分とする培地に接種しハナビラタケを生育する菌床作製方法。
【発明の詳細な説明】
【０００１】
【発明の属する技術分野】本発明は、古来より自生するハナビラタケを用いて菌の培養・菌床作製栽培に関するものである。
【０００２】
【従来の技術】従来の栽培方法は、菌床作製前処理として大鋸屑の熱水可溶成分の除去作業や高圧の高温水蒸気に浸す方法や、特定の主原料ツガ・モミ・マツ等を用い、また特定の菌を使用し更に高価な栄養素を含有させる方法であった為多額の費用がかかり菌床作成上の障害となっていた。
【０００３】本発明者は、従来の栽培法の欠点を改善して、短期間でハナビラタケの栽培法の開発を課題としてきた。
【０００４】
【課題を解決する為の手段】上記課題は、針葉樹・落葉樹の混合大鋸屑を主成分とする培地に自生するハナビラタケ生菌を接種することを特徴とする菌床作製方法である。
【０００５】本発明で使用するハナビラタケ生菌は、自生するハナビラタケの組織を分離し、寒天を主成分とする培地に接種することで作製した生菌を育成培地に接種する方法である。
【０００６】前記寒天を主成分とする培地に、栄養剤としてイーストエクストラクト・モルツエクストラクト・サッカロースを添加するのが好ましい。
【０００７】本発明は、前記大鋸屑を主成分とする培地に米糠・コーンコブ・フスマを添加するのが好ましい。
【０００８】本発明は、従来技術の菌床作製の様に熱水可溶成分の除去・高温水蒸気処理や水洗の複雑作業を行う方法や特定主原料・特定の菌を使用しないで作製されるものである。
【０００９】
【発明の実施の形態】ハナビラタケは、従来人工栽培が行われている茸と比較して栽培が技術的に極めて困難であった。しかし、本願発明者は、研究の結果古来より自生するハナビラタケの生菌を使用し、従来の菌床製法を用いることなく、短期間で且つ経済的に栽培することができた。
【００１０】本発明において、使用する培地は針葉樹・落葉樹の混合大鋸屑、又は単一大鋸屑を主成分とするものである。その培地にハナビラタケの栽培に必要な栄養素を用いるのが好ましい。
【００１１】上記培地に接種するハナビラタケ生菌は、古来より自生するハナビラタケ菌糸を使用することができる。本発明において針葉樹・落葉樹の混合大鋸屑・単一大鋸屑にハナビラタケの発育に必要な栄養素を混合し、これを８５０ｍｌのポリエチレンビンに充填し、滅菌行程を経て接種可能温度まで冷却し、ハナビラタケ生菌を接種する。こうして作製された菌床から子実体を栽培することができる。
【００１２】本発明の第一は、特定のハナビラタケ菌・特定主原料・高価栄養剤の使用や培地作製の複雑行程処理を必要とせずに、ハナビラタケの人工栽培を可能にしたことである。これにより極めて経済的にまた短期間にハナビラタケを栽培することができ、従来の茸生産設備を活用することが可能となった。
【００１３】本発明の第二は、ハナビラタケ栽培の菌床を作製する為、培地として針葉樹・落葉樹の混合大鋸屑を用いこれに添加する栄養素として米糠・コーンコブ・フスマを加えることにある。これにより、栽培期間の短縮・収量の増大が可能となった。
【００１４】
【実施例１】菌糸の作製は、古来より自生するハナビラタケより組織培養する為寒天２．５％・イーストエクストラクト０．４％・モルツエクストラクト１．０％・サッカロース１．０％・精製水１００ｍｌを加え、培地を作製し９８℃にて２５分間煮沸しその後内径９０ｍｍのシャーレに２５ｍｌを移し溶液温度１２℃まで無菌冷却する。この培地にハナビラタケの組織を無菌移植し、室温２２℃、湿度７５％で１０日間培養する。
【実施例２】培地の作製は、大鋸屑（針葉樹・落葉樹の混合材）に米糠２０％・フスマ２０％・コーンコブ５％を混合し含水率７０％に調整する。これをポリエチレンビン（内容量８５０ｍｌ）に充填し中心部に直径１．５ｍｍの穴を開ける。これに空気孔をつけた蓋をして、９８℃にて２．５時間滅菌する。この方法により従来説の熱水可溶成分処理行程を必要としない、また特定主原料・高価な栄養素を必要としない安価な培地が作製できる。
【実施例３】種菌の作製は、実施例１で作製した培養菌を温度１２℃に設定した無菌室でシャーレより１．５ｍｍ程度の角片にとり実施例２で作製した培地に、下部・中部・上部にクリーンブース内で接種する。これを温度２２℃・湿度７５％の部屋にて安置し１５日間ほど培養し栽培種菌の作製をする。これにより、特定菌を使用しないで菌を有することができる。
【実施例４】栽培は、実施例３にて作製した種菌一本を実施例２にて作製した培地８０本に機械接種を行い室温２２℃・湿度８０％で安置し約１５日にて原基が発生。容器の蓋を取り同室に約２０日程安置することによりハナビラタケを大量に収穫することができる。
【００１５】
【発明の効果】従来ハナビラタケの栽培は、培地作製上において経済性・難易性に課題があり、また特定菌種の使用や特定主原料を使用する培地の制約の中での栽培方法が現存するだけであった。本発明は、自生のハナビラタケ菌を利用可能としたことと、育成培地に針葉樹・落葉樹の混合大鋸屑を利用し栄養剤も安価な物を使用し良質なハナビラタケの栽培が可能となり、更に他の茸の栽培施設を利用することができる。これによりハナビラタケの大量生産が可能となった。
(57)【要約】      （修正有）【課題】アワビ養殖の、大量生産を図る事にある。【解決手段】蒲鉾状盤面に、側面溝部を設け、山波部と、溝部を設け、側面部に、Ｔ字状結束体１と、溝付結束体２を、四十五度角で設け、前後部に、円状開口部となる、溝４付半円部を設け、前後溝に突出板５、受け孔６を設け、連結部とする。組立合体は、結束体を、ロープ等で括れば、一体化し、四辺が、育成部となる。前部山波部を低くする事で、潮流抵抗を減じ、前面孔９よりの、水流増加を図る。【選択図】    図５
2004236648.tif 000002
【特許請求の範囲】
【請求項１】
山波部、溝部を設け、Ｔ字状結束体で、合体係留する養殖容器。
【請求項２】
溝付開口部で連結、結束体で合体、Ｔ字状結束体で係留する、養殖容器。
【請求項３】
山波部に溝台部、溝底部に採捕孔を有した、浮魚礁兼用、採捕育成容器。
【発明の詳細な説明】
【０００１】
本発明は、アワビ養殖容器であり、イセエビ採捕育成容器であり、回遊魚の産卵場、育成場とする、筒型浮魚礁である。
【０００２】
従来は、箱型の容器で、養殖していたが、大量生産が困難であった。
【０００３】
図について、説明すれば、
蒲鉾状盤面に、側面溝部を設け、横方向に、山波部と、深い溝部を、交互に数本設け、側面部に、Ｔ字状結束体１と、溝付半丸結束体２を、四十五度角で設け、ズレ防止突出体、受け孔３を設ける、前後部に、合体時に、円状開口部となるＶ字状溝４付半円部を設け、前部溝に突出板５、後部溝に受け孔６と溝付半丸結束体を設け、連結部とする。組立合体は、溝付結束体を、ロープ等で括れば、溝底部差し込み体７、受け孔８が、組み合わされ、強固に一体化し、波浪時の、衝撃に耐える、強固な容器となり、四辺の、山波部、溝部が独立した育成部となり、大量生産が出来る、養殖容器となる。Ｔ字状結束体の、接続部を半円状にする事で、強度が得られ、大きい、係留ロープが容易に結束出来る。
前部山波部を徐々に、低くする事で、潮流抵抗を減じ、前面孔９よりの、水流増加が図られ、開口部よりの水流と共に、容器内への、流量が増大する。
底部溝は、後部よりに、徐々に深くすれば、溝底間が狭くなり、各溝に、水流を分散供給すると共に、投入餌の、分散供給が図れる。山波部の溝台部１０は、パイプ竹等を取付、浮魚礁とするもので、先端部が広がり、魚の遊泳空間が増大複数容器を連結合体すれば、巨大な、浮魚礁となる。
五図は、開口網１１、底網１２を開口部溝に取付、アワビ、イセエビ養殖容器とするもので、アワビでは、山波面、溝面の着生面積が大きく、開口網からの、餌投入が、大量、容易に出来、結束体に、重りを付ければ、各溝が、棚部となりイセエビの、棲息環境に、適した棲処となり、カレイ等の、育成容器ともなる。
六図は、複数容器を、連結合体、全体を、袋網１３で覆って、アワビ種苗生産、育成容器とするもので、鋭角面が無く、溝部をロープで絞れば、網の摩耗が少なく、網を守り、裏表面に、アワビが着生、着生数が倍増、盤面の付着物をアワビが防ぐ。側面三角空間と、溝部に、半割り竹１４等を取付れば、餌となる、珪藻等が繁殖し、着生面が増え、三角空間、内部空間への、ワカメ等の海藻投入が、大量に出来、大量生産が可能となる。
イセエビ育成は、内部溝に、半円パイプ、半割り竹、枝葉付樹木等を詰め込み、突起体１５、抑え棒注入孔１６で抑え、括り固定すれば隠れ場、脱皮場となる。親タコを、複数匹入れれば、溝棚部が、産卵場となり、ふ化した、稚タコは、外内部溝、三角空間等の、半割り竹等間の隠ればで育つ。
七図は、イセエビ幼生採捕育成容器で、開口部に、漏斗口網１７、袋網を取付、全体を、荒目の網で覆い、採捕コレクター１８を取付、内外部溝に、幼生の餌となる、珪藻、プランクトンが増殖する、割り竹、小枝、藁等を入れ、潮流に運ばれた、幼生は、コレクターに付着、潮流による澱みが、各溝に発生、イセエビ幼生の、外部溝への、着生を促す、側面、底面に、幼生が通る、採捕孔１９を設け、内部育成部に導き、餌料を投入、成長を促す。
八図は、山波部に、溝台部を設け、パイプ、竹等を、ロープで括り、取付、浮魚礁とするもので、複数容器を連結すれば、結束部、容器の強度が高くなり、長大な竹、パイプ等を、溝台部に、別個に取付、固定すれば、斜上下後方に、広げた形で、多数、設置出来、産卵場、稚魚の隠れ場が増大、魚の遊泳水域が増え、潮流抵抗の少ない、巨大な、浮魚礁となる。
【０００４】
以上の様にすれば、浮魚礁として、魚類を増やし、アワビ養殖、イセエビ幼生採捕育成を、同時に出来る、容器となる。
【図面の簡単な説明】
【図１】山波部、溝部、結束体を設けた、蒲鉾状盤の、実施例を示す、平面図と側面図である。
【図２】蒲鉾状盤の、実施例を示す、裏面図と断面構成図である。
【図３】蒲鉾状盤を、合体した、容器の、実施例を示す、正面構成図である。
【図４】容器の、実施例を示す、断面構成図と、拡大断面図である。
【図５】開口網、袋網を取付た、養殖容器の、実施例を示す、斜視図である
【図６】連結合体し、袋網で覆って、養殖容器とした、実施例を示す、斜視構成図である。
【図７】容器を、網で覆い、イセエビ採捕容器とした、実施例を示す、斜視構成図である。
【図８】連結容器に、竹等を取付、浮魚礁とした、実施例を示す、斜視構成図である。
【図１】
2004236648.tif 000003
【図２】
2004236648.tif 000004
【図３】
2004236648.tif 000005
【図４】
2004236648.tif 000006
【図５】
2004236648.tif 000007
【図６】
2004236648.tif 000008
【図７】
2004236648.tif 000009
【図８】
2004236648.tif 000010
(57)【要約】【課題】本発明は日頃家に飼っているペットの足を外出より帰った時、手を濡らさず、汚さずペットの足を指の股の汚れまできれいに落とし、かつ水分も拭き取る事の出来るものであり、後始末も簡単に行う事の出来るものである。また冬季の冷たさもやわらげられるという洗足器である。【解決手段】本発明は、通常は下部品２の中に本体３，４が収納されており、本体３，４に洗浄液が入れられ蓋１がされているが、使用時は本体３，４を引き出し、４Ｃは４Ａの内側から中にペットの足を入れ洗浄液に浸かった足を外側から図−５のように揉んだりつまんだり出来るよう柔軟なビニールなどで作られた袋状になっている。図−６のように出入り口にタオルを巻きつけ上部４Ａの逆流防止の為のひれ状縁と足を一緒に持ち、そこにタオルを巻きつけしっかり押さえ、もう片方の手で足を引き抜くと、水分もしっかりふき取ることの出来る構造になっている。【選択図】  図４
2004236647.tif 000002
【特許請求の範囲】
【請求項１】
ペットの汚れた足を簡単に洗足出来る構造の器具を備え、又次の洗足時に備えることの出来る為の簡単洗足器セット
【請求項２】
洗足セットの中の洗浄水の入った筒にペットの足を入れ、手で直接外からもんだりつまんだりし、指の又の汚れまで落とすことが出来、出入り口にペットの足と一緒に持つことにより揉んだりつまんだりの洗浄をしている際に洗浄水が溢れて逆流する事を防止するひれ状装置を有し、さらに上からしっかり押さえて、もう片方の手でタオルを巻きつけて引き抜けば水分も拭き取る事の出来る簡単洗足器。
【発明の詳細な説明】
【０００１】
【発明の属する技術分野】
本発明は水筒状の外側と中身を引き抜くと、ビニールなどの柔軟な素材で出来た袋が筒状の物に装着されており、その中に洗浄水を入れ、足を挿し込み外側から揉んだりつまんだりすれば、指の間の汚れも落とせ、出入り口にペットの足と一緒に持つことにより揉んだり摘んだりしている際に洗浄水があふれて逆流することを防止するひれ状装置を有し、さらに上からしっかり押さえ、もう片方の手でタオルを巻きつけ引き抜けば水分も拭き取れ又洗浄水を入れ、所定の位置に掛けたり置いたりして、次の外出に備えることの出来る物である。
【０００２】
【従来の技術】
従来はペットを散歩させ室内に上げる場合、雑巾で拭いたりして汚れを落としきれず爪の間の泥が残ってしまったりする。又洗面台や洗面器等に水をはってもみ洗いするかお風呂場等で洗足し、そのあとタオルで拭くなど、自分の手も濡らしたり汚したりせねばならず、冬季などは冷たい事など、面倒で苦痛な作業であった。
【０００３】
【発明の実施の形態】
本発明は家の中で飼っているペットの散歩から帰宅した際、洗足器の中筒を引き出し、汚れた足を入れ上部のひれ状装置をしぼり、脚と一緒に持つ、片方の手で下部の柔軟な袋状部分を外側から、揉んだりつまんだりする事で中の足の指の股の汚れも落とせ、次に上部のしぼったひれ状装置と脚の上部（出入り口）にタオルを巻きつけ、片手で押さえて、もう片方の手で脚を引き抜けば、水分も簡単に拭き取れてしまう。汚れた容器を流水ですすぎ、又洗浄水をはって所定の位置へ掛けたり、置いたりすれば又次回の散歩後に、簡単に使用する事が出来る物である。
【０００４】
【発明の効果】
本発明を使用することで、手を濡らしたり汚したりする煩わしさからも開放され、又冬季の冷たさからも開放され、より簡単に次の洗足のための準備をも行うことが出来、労力と時間を著しく短縮出来る効果をもたらす物である。
【０００５】
【発明が解決しようとする課題】
本発明は従来、ペットの散歩の後汚れた脚の洗足の度に洗面器に水をはったり、手を濡らしたり汚したりして冬季などは冷たい思いをする煩わしさを解消しようとする物であり、毎日何回かに及ぶこの作業を少しでも手軽に簡単に効率よく行えるようにしようとする物である。
【０００６】
【課題を解決するための手段】
上記の事より本発明は、汚さず濡らさずとも自分の手を使って実際揉み洗い出来るので、完璧に洗足出来たと満足感の持てる洗足器であり外見は蓋をして吊り下げることの出来る水筒状の物であるが中に図２で示すような下部が柔軟な袋状の物に洗浄水を入れ、蓋を閉める事の出来る筒が内蔵されている。その筒は外容器から引き抜き取り出すことが出来、筒の口の部分にも下部の袋と同素材で出来たひれ状の逆流防止装置を有している。
【０００７】
【実施例】
図４の代表図に示す通り
本体、３、４Ａ、４Ｂ、４Ｃが２の受け容器に収められていた物を引き出しあらかじめ洗浄液入れられた容器の上の口よりペットの足を液に浸るまで差込み、図−５で示すように水逆流防止ふちのひだをペットの足を包むようにして液が漏れぬようしっかり握る。もう片方の手で下部の袋状の所を外側から揉んだりつまんだりして、指の又の汚れまで落とすように揉み洗いする。次に図−５のように足を液につけたまま上部の水漏れ防止用用のふちと足とが両方包まるようにタオルを巻きつけ足とタオルの縁を同時にしっかり押さえ、もう片方の手で静かに足を引き抜く。同じ様に他の足も洗い終わったら袋をすすぎ、又洗浄液を補充して所定の位置においておけば、次回の洗足に備えることが出来る。
【図面の簡単な説明】
【図１】本発明の洗足器収納中の本体及び、収納容器の側面図である。
【図２】本発明の洗足器収納中の本体及び、収納容器の断面図である。
【図３】本発明の洗足器本体の断面図である。
【図４】本発明の実施例を示す図である。
【図５】本発明の実施例を示す図である。
【図６】本発明の実施例を示す図である。
【符号の説明】
１  蓋
２  収納容器
３  洗足器本体
４Ａ  ひれ状逆流防止縁
４Ｂ  洗足器本体、収納容器接続部分
４Ｃ  洗浄部分
【図１】
2004236647.tif 000003
【図２】
2004236647.tif 000004
【図３】
2004236647.tif 000005
【図４】
2004236647.tif 000006
【図５】
2004236647.tif 000007
【図６】
2004236647.tif 000008
(57)【要約】【課題】ＲＮＡ分析において障害となるＲＮａｓｅは加熱や紫外線照射によって容易に無害化できない。また、実験器具や実験容器からＲＮａｓｅを除去するには、従来、乾熱滅菌（１８０℃、８時間以上）や薬品による除去が行われているが、時間がかかる、薬品が残留する、などの欠点があった。【解決手段】無声放電或いは沿面放電などを用いたオゾン発生機で生成した高濃度のオゾンガスを加熱して、或いはオゾンガスに紫外線を照射して、或いは加熱と紫外線照射を併用して生成される酸素ラジカルでＲＮａｓｅを酸化し、水と二酸化炭素に変えて揮発除去する。【効果】ＲＮａｓｅを短時間で簡便に無害化でき、ＲＮＡ分析のスピードアップが図れる。また、本発明によれば、ＲＮａｓｅを酸化し揮発除去するので、薬品などの残存がない利点がある。【選択図】        図１
2004236613.tif 000002
【特許請求の範囲】
【請求項１】
実験器具、実験容器を１００〜３００℃に加熱した後、或いは加熱しながら、前記実験器具、実験容器に高濃度オゾンガスを吹き付けることによってＲＮａｓｅ（Ｒｉｂｏｎｕｃｌｅａｓｅ）を酸化揮発除去する方法。
【請求項２】
ＲＮＡ（Ｒｉｂｏｎｕｃｌｅｉｃ  Ａｃｉｄ）分析において、請求項１に記載の方法によってＲＮａｓｅを酸化揮発除去した、少なくとも１個以上の実験器具や実験容器を用いることを特徴とするＲＮＡの分析方法。
【請求項３】
高濃度オゾンガスには無声放電或いは沿面放電などのオゾン発生機によって発生させたオゾンガスを用いることを特徴とする請求項１、２の方法。
【請求項４】
無声放電或いは沿面放電などのオゾン発生機によって発生させた高濃度オゾンガスの加熱、或いは紫外線照射或いは加熱と紫外線照射によって分解生成された酸素ラジカルでＲＮａｓｅを酸化揮発除去することを特徴とするＲＮａｓｅ無害化装置。
【発明の詳細な説明】
【０００１】
【発明が属する技術分野】
本発明はＲＮＡ分析において障害となるＲＮａｓｅを短時間でかつ簡便に無害化できる方法及び装置に関する。
【０００２】
【従来の技術】
ＲＮＡを取り扱う実験や分析ではＲＮＡを分解するＲＮａｓｅの混入が問題となる。即ち、ＲＮＡは非常に分解されやすく、ＲＮａｓｅというたんぱく質（酵素）によって簡単に分解されてしまう。ＲＮａｓｅは汗や唾液に含まれており、実験器具や実験環境中にも多く存在するため、ＲＮＡ分析の時にはＲＮａｓｅをいかに無害化するかが大きな鍵となる。
【０００３】
たんぱく質は通常、加熱や紫外線照射によって変性し失活するが、ＲＮａｓｅは安定なたんぱく質で、煮沸やオートクレーブでは分解できない。実験器具や実験容器からＲＮａｓｅを除去するには、従来、乾熱滅菌（１８０℃、８時間以上）や薬品による除去が行われているが、時間がかかる、薬品が残留するなどの欠点があった。
【０００４】
【発明が解決しようとする課題】
前述の様に、ＲＮａｓｅの除去には時間がかかり、また薬品が残ってしまうという問題があった。本発明の課題は短時間でかつＲＮａｓｅを完全に除去することである。
【０００５】
本発明の目的は、文献（日立評論，  Ｖｏｌ．７９，  Ｎｏ．１０，  ｐｐ．５１  （１９９７）「ダメージレスを実現するオゾンアッシング装置」、第４１回応用物理学関係連合講演会２８ａＺＦ−１  （１９９４）「ＵＶ／Ｏ３アッシングにおける添加ガスの効果」）にある様なオゾンアッシング技術を用いて、実験器具や実験容器などから簡単にＲＮａｓｅを除く方法及び装置を提供することにある。
【０００６】
【課題を解決するための手段】
本発明の手段は、オゾンガスを加熱して、或いはオゾンガスに紫外線を照射して、或いは加熱と紫外線照射を併用して生成される酸素ラジカルでＲＮａｓｅを酸化し、水と二酸化炭素に変えて揮発除去する。
【０００７】
【発明の実施の形態】
【０００８】
＜実施例１＞
本発明のＲＮａｓｅ無害化のシーケンスを図１を用いて説明する。実験器具や容器を反応室に設置し、ヒータ、または赤外線ランプ、または遠赤外線ヒータによって、或いはこれらを併用して１００〜３００℃に加熱する、或いは加熱しながら、オゾン発生機で発生させたオゾンガスを反応室に導き、熱或いは紫外線照射、或いは熱と紫外線照射の両方によってオゾンガスを分解し酸素ラジカルを生成する。生成した酸素ラジカルによってＲＮａｓｅを酸化し、二酸化炭素と水に変えて揮発除去する。反応室で消費されなかったオゾンガスはオゾン分解器によって酸素に分解して排気する。反応室から実験器具や容器を処理後直ぐに取り出したい場合は、オゾンガスの供給を停止し、残存オゾンガスを窒素、酸素、空気などのガスでパージした後に取り出す。
【０００９】
＜実施例２＞
本発明によるＲＮａｓｅの無害化装置の反応室を図２に示す。プレート７上に置かれたガラス製反応容器６に、１から導入したオゾンガスをノズル２を介して放出する。オゾンガスはビーカなどの被洗浄冶具３に放出され、その表面で分解され酸素ラジカルを生成する。被洗浄冶具表面のＲＮａｓｅがこの酸素ラジカルと反応し、二酸化炭素と水になり排気口８から残存オゾンと共に排出される。反応を加速するため、必要に応じて紫外線ランプ５または赤外線ランプ５を用いる、或いは紫外線ランプと赤外線ランプ５を併用する。
【００１０】
【発明の効果】
本発明によれば、ＲＮａｓｅを短時間（濃度１％以上のオゾンガスを用いた場合、３０分以下で無害化できた。）で簡便に無害化でき、ＲＮＡ析のスピードアップが図れる。また、本発明はＲＮａｓｅを酸化し揮発除去するのでＲＮａｓｅを完全に無害化できる。また、本発明はＲＮａｓｅに限らず一般のたんぱく質など生化学分析に用いられる器具の洗浄、μ−ＴＡＳ（Ｍｉｃｒｏ  Ｔｏｔａｌ  Ａｎａｌｙｓｉｓ  Ｓｙｓｔｅｍ）、Ｌａｂ−ｏｎ−ａ−Ｃｈｉｐ、ＤＮＡチップなどの流路の洗浄にも適用できる。
【図面の簡単な説明】
【図１】本発明のＲＮａｓｅの無害化シーケンスを説明するための図である。
【図２】本発明のＲＮａｓｅ無害化装置の反応室の一実施例を示す模式図である。
【符号の説明】
１    オゾンガス導入口
２    ノズル
３    ビーカなどの被洗浄冶具
４    ヒータ
５    紫外線ランプまたは赤外線ランプ
６    ガラス製反応容器
７    プレート
８    排気口
【図１】
2004236613.tif 000003
【図２】
2004236613.tif 000004
(57)【要約】【課題】永久磁石を回転子鉄心に装着してから着磁を行なえるようにして、回転子の組立作業を簡単にする。【解決手段】積層電磁鋼板３からなる回転子鉄心１に永久磁石４が装着されるとともに、積層電磁鋼板３は軸方向の貫通穴５を通して鋳込まれた鋳造金属７により一体的に結合される永久磁石式同期モータの回転子において、鋳造金属７を鋳込む貫通穴６を永久磁石４よりも半径方向内側に設ける。鋳造金属７は永久磁石４の半径方向内側に存在するため、着磁のために回転子鉄心１の外側から磁束８を通せば、この磁束は鋳造金属７に妨げられることなく容易に永久磁石４に到達する。従って、永久磁石４を回転子鉄心１に装着してから磁束８を回転子鉄心１の外部から作用させ、この磁束８で永久磁石４を着磁することが可能になる。【選択図】        図１
2004236399.tif 000002
【特許請求の範囲】
【請求項１】
積層電磁鋼板からなる回転子鉄心に永久磁石が装着されるとともに、前記積層電磁鋼板は軸方向の貫通穴を通して鋳込まれた鋳造金属により一体的に結合される永久磁石式同期モータの回転子において、
前記鋳造金属を鋳込む前記積層電磁鋼板の貫通穴を前記永久磁石よりも半径方向内側に設けたことを特徴とする永久磁石式同期モータの回転子。
【発明の詳細な説明】
【０００１】
【発明の属する技術分野】
この発明は、永久磁石式同期モータの回転子に関し、特に回転子鉄心を構成する積層電磁鋼板の結合構造に関する。
【０００２】
【従来の技術】
永久磁石式同期モータは周知の通り、回転子に装着した永久磁石に回転磁界を作用させ、この回転磁界に同期させて回転子を回転させるもので、例えば特許文献１に記載されている。図３及び図４は従来の永久磁石式同期モータ回転子の他の例を示すもので、図３は回転子の横断面図、図４は上半部を断面にした側面図である。図３及び図４において、回転子は回転子鉄心１と回転子軸２とからなり、回転子鉄心１は電磁鋼板３が積層されて構成されている。図示の場合、回転子磁極は４極構成として、平角板状の４個の永久磁石４が積層電磁鋼板３を軸方向に貫通する穴５に図示極性で嵌め込まれている。また、積層電磁鋼板３は、永久磁石４よりも半径方向外側において、回転子鉄心１の外周に沿って多数設けられた軸方向の貫通穴６に、ダイカストにより鋳造金属（一般にアルミ合金）７が鋳込まれることにより一体的に結合されている。
【０００３】
【特許文献１】
特開２００１−０９５１８３号
【発明が解決しようとする課題】
上記した回転子において、従来は積層電磁鋼板３をアルミダイカストにより一体結合した後、予め着磁した永久磁石４を回転子鉄心１の貫通穴５に挿入するという手順で回転子の組立を行なっている。ところが、着磁済みの永久磁石４は鉄粉等を吸い寄せるため取り扱いが厄介で、その組み付けには非常な注意を要し、回転子の組立作業を面倒なものにしていた。一方、永久磁石４を回転子鉄心１に組み付けた後、回転子鉄心１の外側から磁束を作用させて着磁を行なおうとしても、回転子鉄心１の外周部に存在するアルミ合金の導体７に渦電流が流れ、磁束が弱められるために着磁が困難であった。
この発明の課題は、永久磁石を回転子鉄心に装着してから着磁を行なえるようにして、回転子の組立作業を簡単にすることにある。
【０００４】
【課題を解決するための手段】
上記課題を解決するために、この発明は、積層電磁鋼板からなる回転子鉄心に永久磁石が装着されるとともに、前記積層電磁鋼板は軸方向の貫通穴を通して鋳込まれた鋳造金属により一体的に結合される永久磁石式同期モータの回転子において、前記鋳造金属を鋳込む前記積層電磁鋼板の貫通穴を前記永久磁石よりも半径方向内側に設けるものである（請求項１）。
【０００５】
この請求項１によれば、鋳造金属の導体は永久磁石の半径方向内側に存在するため、着磁のための磁束を回転子鉄心の外側から通しても、この磁束は鋳造金属の導体に妨げられることなく容易に永久磁石に到達する。従って、永久磁石を回転子鉄心に装着してから着磁することが可能になる。
【０００６】
【発明の実施の形態】
図１はこの発明の実施の形態を示す回転子の横断面図、図２は上半部を断面にした側面図である。なお、従来例と対応する部分には同一の符号を用いるものとする。図１及び図２において、積層電磁鋼板３からなる回転子鉄心１には、平角板からなる４個の永久磁石４が従来と同様に装着され、また積層電磁鋼板３は鋳造金属７の鋳込みにより一体的に結合されている。ここで、鋳造金属７が鋳込まれる回転子鉄心１の貫通穴６は、永久磁石４よりも半径方向内側に環状に多数設けられている。
【０００７】
しかして、貫通穴６に鋳造金属７、例えばアルミ合金がダイカストにより鋳込まれ、積層電磁鋼板３が鋳造金属７により一体に結合された後、貫通穴５に未着磁の永久磁石（正確には永久磁石材）４が装着され、例えば接着剤により固定される。その場合、永久磁石４は未着磁であるため、鉄粉等を吸着することがなく、保管や装着作業がきわめて簡易である。次いで、この永久磁石４には、図１に示すように、回転子鉄心１の外側から磁束８が通されて着磁が行われる。その際、鋳造金属７は永久磁石４よりも半径方向内側に位置するため磁束８の妨げとならず、永久磁石４は容易に着磁される。また、鋳造金属７が永久磁石４よりも内側に存在する図示回転子においては、永久磁石４を従来よりも回転子鉄心１の外周側に位置させることができるので、それだけ永久磁石４の幅寸法を従来よりも拡大させ、同期モータの回転トルクを増大させることが可能である。
【０００８】
【発明の効果】
以上の通り、この発明によれば、永久磁石を回転子鉄心に装着してから着磁できるので、従来のように着磁済みの永久磁石に鉄粉等が吸着されないように気を遣う必要がなく、回転子の組立作業が大幅に簡易化される。
【図面の簡単な説明】
【図１】この発明の実施の形態を示す永久磁石式同期モータ回転子の横断面図である。
【図２】図１の回転子の上半部を断面にした側面図である。
【図３】従来例を示す永久磁石式同期モータ回転子の横断面図である。
【図４】図３の回転子の上半部を断面にした側面図である。
【符号の説明】
１    回転子鉄心
２    回転子軸
３    電磁鋼板
４    永久磁石
６    鋳込み用貫通穴
７    鋳造金属
８    磁束
【図１】
2004236399.tif 000003
【図２】
2004236399.tif 000004
【図３】
2004236399.tif 000005
【図４】
2004236399.tif 000006
(57)【要約】【課題】係合部において係合と解除を繰り返すことなく複数のハーネスを収納枠体に収納することができるハーネス用クランプユニットを提供する。【解決手段】ハーネス５、６を収納するための収納枠体１と、収納枠体１内にハーネス５、６を仮保持する補助ストッパー２と、収納枠体１内にハーネス５、６を最終保持する係合部３とを形成したハーネス用クランプユニット。【選択図】      図３
2004194464.tif 000002
【特許請求の範囲】
【請求項１】
ハーネスを収納するための収納枠体と、収納枠体内にハーネスを仮保持する補助ストッパーと、収納枠体内にハーネスを最終保持する係合部とを形成したことを特徴とするハーネス用クランプユニット。
【請求項２】
請求項１記載のハーネス用クランプユニットにおいて、補助ストッパーは、収納枠体開口端に設けられ、中央に向かって延出する一対の突片で構成されることを特徴とするハーネス用クランプユニット。
【請求項３】
請求項１記載のハーネス用クランプユニットにおいて、突片の先端は先鋭形状になっていることを特徴とするハーネス用クランプユニット。
【発明の詳細な説明】
【０００１】
【発明の属する技術分野】
本発明は、ハーネス（束線）用クランプユニットに関し、特に複数本のハーネスをクランプすることが可能なハーネス用クランプユニットに関する。
【０００２】
【従来の技術】
ハーネス用クランプユニットにおいて、係合を解除する際の操作性が従来品よりも良好なクランプ及び係合構造を提供するための技術が提案されている。即ち、クランプにおいて、係合部材と被係合部材とを係合させる際には、被案内突起が案内部の内側（右側）を案内される状態で、係合部を係合位置まで前進（下降）させると、係合爪が段付部に引っ掛って係合部材と被係合部材が係合する。この係合を解除する際には、係合部材をさらに前進（下降）させるものである（例えば、特許文献１参照）。
【特許文献１】特開２００１−３３６５０９公報
【０００３】
【発明が解決しようとする課題】
従来技術のハーネスクランプでは、同一クランプに複数本のハーネスを繰り返し収納する場合、その都度係合と解除を繰り返し行う必要があるとともに、その都度係合を行うムダが発生していた。
本発明は、係合部において係合と解除を繰り返すことなく複数のハーネスを収納枠体に収納することができるハーネス用クランプユニットを提供することを目的とする。
【０００４】
【課題を解決するための手段】
上記目的を達成するために、請求項１記載の発明は、ハーネスを収納するための収納枠体と、収納枠体内にハーネスを仮保持する補助ストッパーと、収納枠体内にハーネスを最終保持する係合部とを形成したハーネス用クランプユニットを最も主要な特徴とする。
請求項２記載の発明は、請求項１記載のハーネス用クランプユニットにおいて、補助ストッパーは、収納枠体開口端に設けられ、中央に向かって延出する一対の突片で構成されるハーネス用クランプユニットを主要な特徴とする。
請求項３記載の発明は、請求項１記載のハーネス用クランプユニットにおいて、突片の先端は先鋭形状になっているハーネス用クランプユニットを主要な特徴とする。
【０００５】
【発明の実施の形態】
以下、図面に従って本発明の実施の形態を説明する。図１は本発明の実施の形態に係るハーネス用クランプユニットにおける非係合状態を示す図、図２は同じく係合状態を示す図である。
本発明の実施の形態に係るハーネス用クランプユニットは、合成樹脂で構成されており、ハーネスを収納するための略Ｕ字状の収納枠体１と、収納枠体１内に対向配置されてハーネスを仮保持する２つの突片状の補助ストッパー２と、収納枠体１の一端を延長形成することにより形成され且つ収納枠体１内にハーネスを最終保持する係合部３と、収納枠体の他端に位置する係合受け部４とを形成している。また補助ストッパー２は、収納枠体１の開口端に設けられ、中央に向かって延出する一対の突片で構成される。そして突片の先端は先鋭形状になっている。
図１に示す非係合状態では、収納枠体１の一方の壁面と係合部３は直線状になっており、収納枠体１の開口を開放している。また図２に示す係合状態では、係合部３は肉厚の薄い回動部３ａを中心として直角に折れ曲がり、収納枠体１の開口を塞いでいる。
図３(１)、(２)、(３)は本発明の実施の形態に係るハーネス用クランプユニットに複数のハーネスをクランプする様子を示す説明図である。クランプユニットを例えば（複写機、ＦＡＸなど）のハーネス配廻し部材（側板、パネル、ブラケット）に設けられた孔に挿入・固定し、(１)に示すように、配廻す第１のハーネス５を補助ストッパー２を介して収納枠体１に収納する。
この際に最終係合（固定）を行う係合部３を係合させず、第２のハーネス６の配廻し作業を継続して行ない、(２)に示すように、同様に補助ストッパー２を介して外側から収納枠体１内部に収納する。
ここで補助ストッパー２の先端を細らせているため先端の弾性力が弱く弾性変形が容易であるため、繰り返し収納作業が容易になる。また、(２)に示すように、第２のハーネス６から小本数の線が補助ストッパー２よりはみ出しても、この時点ではなんら問題とならない。
この様に所定の収納分の作業が終了するまで、補助ストッパー２を介して収納作業を行い、最終作業に至った時に(３)に示すように、最終係合（固定）を行ない、配廻し作業が完了となる。
【０００６】
【発明の効果】
本発明によれば、収納枠体開口端に設けられ、中央に向かって延出する一対の突片で構成され、収納枠体内にハーネスを仮保持する補助ストッパーを設けたので、係合部において係合と解除を繰り返すことなく複数のハーネスを収納枠体に収納することができる。また、補助ストッパーを構成する突片の先端は先鋭形状になっているので、ハーネスの収納作業が容易になる。
【図面の簡単な説明】
【図１】本発明の実施の形態に係るハーネス用クランプユニットにおける非係合状態を示す図である。
【図２】本発明の実施の形態に係るハーネス用クランプユニットにおける係合状態を示す図である。
【図３】(１)、(２)、(３)は本発明の実施の形態に係るハーネス用クランプユニットに複数のハーネスをクランプする様子を示す説明図である。
【符号の説明】
１  収納枠体
２  補助ストッパー
３  係合部
４  係合受け部
５  第１のハーネス
６  第２のハーネス
【図１】
2004194464.tif 000003
【図２】
2004194464.tif 000004
【図３】
2004194464.tif 000005
(57)【要約】【課題】永久磁石のエネルギーを採取するために磁束を変化させる方法として単体の磁石同士の距離を移動させ変化させると、磁束は変化するが磁束変化エネルギーより磁石同士の移動エネルギーが大きいので、磁石同士の距離移動で磁束変化を促し永久磁石のエネルギー採取は無駄と考えられている。【解決手段】低出力で磁石同士の距離移動を可能にするために、片方に同極方向の永久磁石を複数設置し、極面で隣接回転する片方に交互極方向の永久磁石を複数設置した、両面の永久磁石同士の吸引力と反発力の数と間隔を同じに設定、各磁石の逆極方向磁石の反発力と同極方向磁石の吸引力が打ち消し合い、回転板は低出力で回転できる、個々の磁石では同極方向磁石が近づく時磁束は増加、離れる時磁束は減少する、逆極方向磁石が近づく時磁束は減少、離れる時磁束は増加する、低出力で永久磁石の磁束変化を促す事ができる装置。固定側を交互極磁石、回転側を同極磁石でも可能。大きな磁束変化を求める為、固定側、回転側を交互に複数設けたり、対面で設けても可能である。【選択図】  図１
2004194492.tif 000002
【特許請求の範囲】
【請求項１】
片方に同極方向の複数の永久磁石を設置、磁石極面で隣接するもう片方に交互極方向の複数の永久磁石を設置、設置する各磁石の数と間隔は、吸引、反発が同時に同じ力で働くように同数同間隔で設置する、極面で隣接する磁石同士の距離を移動して磁束変化を促す時、全体では隣接する磁石の交互極方向により吸引、反発が同時に働き、距離移動を妨げる磁力の吸引と反発が打ち消し合い低出力で距離移動が可能になる、個々の磁石が近づく時、同極方向磁石同士は磁束が増加し、逆極方向磁石同士は磁束が減少する、また個々の磁石が離れる時、同極方向磁石同士は磁束が減少し、逆極方向磁石同士は磁束が増す、隣接する永久磁石同士の距離移動を低出力で可能にした、永久磁石の磁束変化を得る装置。
【発明の詳細な説明】
【０００１】
【発明に属する技術分野】
この発明は、永久磁石の磁束エネルギーを採取するために、磁石同士の距離を変化させ磁束変化を促す装置で、磁極方向の組み合わせにより吸引力、反発力の相互関係で低出力で磁石同士の距離移動を可能した磁束変化装置。
【０００２】
【従来の技術】
従来、発電等で必要な磁束変化は、磁束変化エネルギーより多きい出力で強制的に磁石を移動させる方法が取られている、永久磁石の同極を重ねたり、逆極を重ねる事で磁束変化を得ることは出来るが、磁束変化量より磁石を重ねるエネルギーが大きいので磁石を重ねて磁束を変化させ永久磁石のエネルギーを採取しても無駄と考えられている。
【０００３】
【発明が解決しようとする課題】
単体の永久磁石同士を近づけたり離したりすることで磁束変化を発生させると、同極方向磁石同士の吸引力、逆極方向磁石同士の反発力が発生し、磁石を移動するのに大きな出力が必要になる為、永久磁石同士の距離を移動させ磁束を変化させるのは無駄とされている。
【０００４】
【課題を解決するための手段】
永久磁石の逆極方向同士を重ねる時の反発力、同極方向同士を重ねる時の吸引力が同時に働き合う様に片方の固定側に同極方向の磁石を同間隔で複数設置、もう片方を磁石極面で隣接回転させ磁石同士の距離を移動させた、回転側に交互に同極方向と逆極方向の磁石を同間隔で複数設置。回転方向に磁石同士の距離が縮まる時、逆極方向同士は磁石の反発でマエナス出力、同極方向同士は磁石の吸引でプラス出力が働く、また磁石同士の距離が離れる時は逆極方向同士は磁石の反発でプラス出力、同極方向同士は磁石の吸引でマエナス出力。吸引と反発が働く交互磁極の磁石を同出力数設定すれば、常に吸引、反発が働き合い、スライド移動を妨げる出力と助ける出力が打ち消し合い、低出力で回転移動を可能にできた。
また磁極方向は固定側に交互磁極、回転側に同極も可能。
大きな磁束変化を求める為、固定側、回転側を交互に複数設けたり、対面に設けても可能である。
【図２】参考
超伝導等の強力な磁力を長時間維持できる磁石なら応用可能である。
【０００５】
【発明の実施の形態】
固定板▲９▼に同極方向の磁石▲１▼▲２▼▲３▼▲４▼を同一間隔で設け、その中心を軸として回転できる回転板▲１０▼に交互極方向に磁石▲５▼▲６▼▲７▼▲８▼を同一間隔で設けた、固定板▲９▼に備えた磁石と回転板▲１０▼に備えた磁石は極面で隣接回転可能で、各磁石同士が近づく時は逆極方向同士は反発力でマエナス回転、同極方向同士は吸引力でプラス回転が働く、また各磁石同士が離れる時は逆極方向同士は反発力でプラス回転、同極方向同士は吸引力でマエナス回転が働き、常時反発力と回転力が打ち消し合い回転板は低出力で回転できる。
回転時、個々の磁石の同極方向同士が近づく時は磁束が増加し離れる時は磁束は減少する、逆極方向同士は近づく時磁束は減少し離れる時は増加する、低出力で磁石同士の距離を移動させ磁束変化を得る装置である。
説明では８個の磁石を使用したが、打ち消し合う数が同じであれば何個でも可能、また固定板、回転板を複数でも対面でも可能である。
【０００６】
【発明の効果】
永久磁石の磁束エネルギーを採取するために、低出力で磁石同士の距離を変化させ磁束変化を促す事ができる。
【図面の簡単な説明】
【図１】永久磁石磁束変化単列例
【図２】永久磁石磁束変化装置体面型例
【符号の説明】
▲１▼：永久磁石１        ▲２▼：永久磁石２          ▲３▼：永久磁石３
▲４▼：永久磁石４        ▲５▼：永久磁石５          ▲６▼：永久磁石６
▲７▼：永久磁石７        ▲８▼：永久磁石８          ▲９▼：固定板
▲１０▼：回転板      ▲１１▼：ベアリング    ▲１２▼：回転駆動軸
▲１３▼：磁束誘導板  ▲１４▼：電気変換コイル
【図１】
2004194492.tif 000003
【図２】
2004194492.tif 000004
(57)【要約】【課題】受信したファクシミリを瞬時に複数の人に手渡す必要がある場合、（例：調剤薬局やレストランなど）時間の浪費となった。【解決手段】印刷用紙検出スイッチと、スキャナーの併用によって課題を解決する。【選択図】  図１
2004194260.tif 000002
【特許請求の範囲】
【請求項１】
受信したファクシミリを、受信と同時に遠隔地にて複数コピーすることの出来る装置。
【発明の詳細な説明】
【０００１】
【発明の属する技術分野】本発明は、従来のファクシミリに印刷用紙検出スイッチを施して、同時に遠隔地にて複数コピーすることのできるファクシミリ機に関するものである。
【０００２】
【従来の技術】従来のファクシミリは、受信したファクシミリを同時に複数コピーすることができなかった。
【０００３】
【発明が解決しようとする課題】受信したファクシミリを瞬時に遠隔地の複数人に手渡す必要がある場合、（例：調剤薬局やレストランなど）時間の浪費となった。
【０００４】
【課題を解決するための手段】印刷用紙検出スイッチと、スキャナーの併用使用によって課題を解決する。
【０００５】
【発明の実施の形態】▲１▼で受信したファクシミリを▲２▼の印刷用紙検出スイッチが自動的に受信を感知し、電源が自動的に入る。その後受信したファクシミリが▲３▼のスキャナーを通り、受信と同時に▲４▼から複数コピーを可能にする。
【０００６】
【発明の効果】受信したファクシミリを改めてコピーする時間を省略する。
【図面の簡単な説明】
【図１】平面図
【符号の説明】▲１▼ファクシミリＡ
▲２▼印刷用紙検出スイッチ
▲３▼ファクシミリＢのスキャナー
▲４▼ファクシミリＢ
▲５▼給紙ローラー
【図１】
2004194260.tif 000003
(57)【要約】【課題】今までの乾燥肉は袋詰めにしたものはあるが保存期間が短かかった。乾燥肉のもつ本来の保存食としての価値を生かし、災害時等の非常用食料とするためにそれを缶詰にし加熱殺菌することにより５年間の保存期間を可能にした。【解決手段】乾燥牛肉を約２センチ四方の小片に裁断し、缶詰に入れて加熱殺菌することによりほぼ無菌状態の乾燥牛肉缶詰ができあがる。【選択図】図１
2004194626.tif 000002
【特許請求の範囲】
【請求項１】
乾燥牛肉を缶詰に入れて賞味期間を５年にしたことを特徴とする缶入り乾燥牛肉。
【請求項２】
米国産乾燥牛肉を非常時の利用に供するため缶詰に入れて加熱殺菌し賞味期間を５年にしたことを特徴とする缶入り非常用乾燥牛肉。
【発明の詳細な説明】
【０００１】
【発明の属する技術分野】
この発明は、非常時に用いる乾燥牛肉用の保存方法に関する。
【０００２】
【従来の技術】
従来の乾燥牛肉はＰＰ袋やナイロン製袋に封入の製品で、それを缶入りにし加熱殺菌することにより図１、図２で示すような５年間保存を可能にした製品はなかった。
【０００３】
【発明が解決しようとする課題】
従来技術によれば、乾燥牛肉の賞味期限は６ヶ月〜１年であったが、それでは非常用食料としては期間が短かすぎて、保管面で長期保存を望まれる非常用食料としては適していなかった。
そこで、この発明はその保存期間の問題を解決し、他の災害時の主食であるアルファ米や乾パンなどと同じく５年の賞味期限を可能にした製品である。そしてさらに災害時の事を考慮し、堅牢な容器でありながら軽くて持ち運びが楽、缶切りのいらないイージーオープン缶で食す際水もお湯も必要ない。しかもたんぱく質を多く含む牛肉は栄養不足になりがちな人体の栄養補給を第一の目的として考えられた製品です。
【０００４】
【課題を解決するための手段】
以上の課題を解決するために請求項１の発明は、乾燥牛肉を缶詰に入れて賞味期間を５年にしたことを特徴とする缶入り乾燥牛肉である。
また、請求項２の発明は米国産乾燥牛肉を非常時の利用に供するため缶詰に入れて加熱殺菌し賞味期間を５年にしたことを特徴とする缶入り非常用乾燥牛肉である。
【０００５】
【発明の実施の形態】
この発明の一実施形態を、図１および図２に示す。
缶入り非常用乾燥牛肉の本体１はスチールおよびアルミ製であり、胴３および下蓋４はスチール製で、上面にはアルミ製の上蓋２が一体的に設けられている。そして上蓋は缶切りを使わなくても素手で開けられるよう、プルトップリング付きのイージーオープン蓋になっている。
【０００６】
「実施形態の効果」
非常時には用意しにくい缶切りが必要なく現実に即した形態になっている。
【０００７】
「他の実施形態」
他の缶詰と違い缶の中に水分がほとんどないため重量も軽く、普通の缶詰のイメージから想像しにくいほど軽いため、災害時等非常時にあたっては持ち運びに便利な他、大きさも小型でポケットに収納可能な大きさとなっている。
【０００８】
【発明の効果】
以上説明したように、この発明によれば、この缶入り非常用乾燥牛肉は地震などの災害時、海や山での遭難の携帯食料として最適な形態である。
【０００９】
また、栄養が偏りがちな事態のなかで生命体に必要な栄養素のたんぱく質が１００グラム中６２．１グラムと他の牛肉大和煮などの缶詰と比較しても約３倍の量が含まれている最適な食糧といえる。
【図面の簡単な説明】
【図１】この発明の実施形態を示す上面図である。
【図２】この発明の実施形態を示す側面図である。
【符号の説明】
１  缶入り乾燥牛肉本体        ２  上蓋          ３  胴
４  下蓋        ５  プルトップリング
【図１】
2004194626.tif 000003
【手続補正書】
【提出日】平成15年2月21日(2003.2.21)
【手続補正２】
【補正対象書類名】図面
【補正対象項目名】全図
【補正方法】変更
【補正の内容】
【図１】
2004194626.tif 000004
【図２】
2004194626.tif 000005